(57)【要約】【課題】  デジタルコンテンツ再生録音装置において自分の音読内容や復唱内容と手本との比較を行いやすくした構成を提供すること。【解決手段】  テキストデータを含むデジタルコンテンツＤＣが記憶された記憶部１２と、デジタルコンテンツＤＣを表示・出力する表示部１６Ａ，音声出力部１６Ｂと、テキストデータから単位フレーズＰを生成する単位フレーズ生成部１８Ａと、単位フレーズＰに対応するテキストデータの表示時間を記憶部１２に記憶されている音声再生時間に基づいて規定するフレーズ表示時間規定部１８Ｃと、単位フレーズＰに対応するテキストデータをフレーズ表示時間に亘り表示部１６Ａに強調表示させるフレーズ出力制御部１８Ｄと、使用者が単位フレーズＰを音読した音読音声を録音し、音声出力部１６Ｂに手本となる音声再生データと音声録音データを出力する音声録音データ確認制御部１８Ｆを有する。【選択図】図１
2018097043.tif 000002
【特許請求の範囲】
【請求項１】
テキストデータを含むデジタルコンテンツが記憶されている記憶部と、
前記テキストデータの全部または一部を表示する表示部と、
前記テキストデータから単位フレーズを生成する単位フレーズ生成部と、
前記単位フレーズに対応する前記テキストデータに基づいて音声合成により音声データを生成する音声データ生成部と、
音声出力部と、
使用者が前記テキストデータを読み上げた音声を音声録音データとして記録する音声記録部と、
前記単位フレーズに対応する前記音声データの長さに基づいて前記単位フレーズに対応する前記テキストデータを前記表示部に表示するフレーズ表示時間を規定するフレーズ表示時間規定部と、
前記音声出力部に前記音声データの出力をせずに前記単位フレーズに対応する前記テキストデータを前記フレーズ表示時間にわたって前記表示部に強調表示させるフレーズ出力制御部と、
前記音声出力部に前記音声データの出力をせずに前記単位フレーズに対応する前記テキストデータを前記フレーズ表示時間にわたって前記表示部に強調表示させた後、前記音声記録部により前記音声録音データを収集させると共に、収集した前記音声録音データを前記記憶部に記憶させる音声録音データ収集制御部と、
前記デジタルコンテンツを、前記単位フレーズごとに前記単位フレーズに対応する前記テキストデータおよび前記音声データを前記表示部および前記音声出力部に出力させ、さらに前記単位フレーズに対応する前記音声録音データを前記音声出力部に出力させる音声録音データ確認制御部と、
を具備していることを特徴とするデジタルコンテンツ再生録音装置。
【請求項２】
テキストデータおよび前記テキストデータに対応した音声データを含むデジタルコンテンツが記憶されている記憶部と、
前記テキストデータの全部または一部を表示する表示部と、
前記テキストデータおよび前記音声データから単位フレーズを生成する単位フレーズ生成部と、
音声出力部と、
使用者が前記テキストデータを読み上げた音声を音声録音データとして記録する音声記録部と、
前記単位フレーズに対応する前記音声データの長さに基づいて前記単位フレーズに対応する前記テキストデータを前記表示部に表示するフレーズ表示時間を規定するフレーズ表示時間規定部と、
前記音声出力部に前記音声データの出力をせずに前記単位フレーズに対応する前記テキストデータを前記フレーズ表示時間にわたって前記表示部に強調表示させるフレーズ出力制御部と、
前記音声出力部に前記音声データの出力をせずに前記単位フレーズに対応する前記テキストデータを前記フレーズ表示時間にわたって前記表示部に強調表示させた後、前記音声記録部により前記音声録音データを収集させると共に、収集した前記音声録音データを前記記憶部に記憶させる音声録音データ収集制御部と、
前記デジタルコンテンツを、前記単位フレーズごとに前記単位フレーズに対応する前記テキストデータおよび前記音声データを前記表示部および前記音声出力部に出力させ、さらに前記単位フレーズに対応する前記音声録音データを前記音声出力部に出力させる音声録音データ確認制御部と、
を具備していることを特徴とするデジタルコンテンツ再生録音装置。
【請求項３】
テキストデータまたはテキストデータおよび前記テキストデータに対応した音声データを含むデジタルコンテンツと、前記デジタルコンテンツの構成内容が記述されたコンテンツ構成内容データと、が記憶されている記憶部と、
前記テキストデータの全部または一部を表示する表示部と、
前記テキストデータまたは前記テキストデータおよび前記音声データから単位フレーズを生成する単位フレーズ生成部と、
前記単位フレーズに対応する前記テキストデータに基づいて音声合成により前記音声データを生成する音声データ生成部と、
音声出力部と、
使用者が前記テキストデータを読み上げた音声を音声録音データとして記録する音声記録部と、
前記単位フレーズに対応する前記音声データの長さに基づいて、前記単位フレーズに対応する前記テキストデータを前記表示部に表示するフレーズ表示時間を規定するフレーズ表示時間規定部と、
前記音声出力部に前記音声データの出力をせずに前記単位フレーズに対応する前記テキストデータを前記フレーズ表示時間にわたって前記表示部に強調表示させるフレーズ出力制御部と、
前記音声出力部に前記音声データの出力をせずに前記単位フレーズに対応する前記テキストデータを前記フレーズ表示時間にわたって前記表示部に強調表示させた後、前記音声記録部により前記音声録音データを収集させると共に、収集した前記音声録音データを前記記憶部に記憶させる音声録音データ収集制御部と、
前記デジタルコンテンツを、前記単位フレーズごとに前記単位フレーズに対応する前記テキストデータおよび前記音声データを前記表示部および前記音声出力部に出力させ、さらに前記単位フレーズに対応する前記音声録音データを前記音声出力部に出力させる音声録音データ確認制御部と、
前記コンテンツ構成内容データの内容に基づいて、前記単位フレーズ生成部と前記フレーズ表示時間規定部との動作内容を切り替える動作内容切替制御部と、を具備し、
前記動作内容切替制御部は、前記コンテンツ構成内容データを参照し、
前記デジタルコンテンツが前記テキストデータに対応した音声データを含んでいないと判断した場合には、前記単位フレーズ生成部に前記テキストデータから前記単位フレーズを生成させる処理と、前記音声データ生成部に前記単位フレーズに対応する前記テキストデータに基づいて音声合成により前記音声データを生成させる処理を実行し、
前記デジタルコンテンツが前記テキストデータに対応した音声データを含んでいると判断した場合には、前記単位フレーズ生成部に、前記テキストデータおよび前記音声データから前記単位フレーズを生成させ、前記音声データ生成部の動作をスキップさせる処理を実行することを特徴とするデジタルコンテンツ再生録音装置。
【請求項４】
前記フレーズ出力制御部は、
前記フレーズ表示時間にわたって前記単位フレーズに対応する前記音声データを前記音声出力部に出力させると共に、前記単位フレーズに対応する前記テキストデータを前記表示部に強調表示させた後に、前記音声出力部に前記音声データの出力をせずに前記単位フレーズに対応する前記テキストデータを前記フレーズ表示時間にわたって前記表示部に強調表示させることを特徴とする請求項１〜３のうちのいずれか一項に記載のデジタルコンテンツ再生録音装置。
【請求項５】
前記フレーズ出力制御部は、
前記フレーズ表示時間を超えてもなお、前記音声記録部による前記音声録音データの収集が継続されている場合、前記音声記録部による前記音声録音データの収集が終了するまでの間、前記表示部に前記単位フレーズに対応する前記テキストデータの表示を継続させることを特徴とする請求項１〜４のうちのいずれか一項に記載のデジタルコンテンツ再生録音装置。
【請求項６】
前記音声録音データ収集制御部は、前記音声出力部に前記音声データの出力をせずに前記単位フレーズに対応する前記テキストデータを強調表示させた後において、前記音声記録部に入力された最初の音声をトリガーとして前記音声記録部に前記音声録音データを収集させる処理を実行することを特徴とする請求項１〜５のうちのいずれか一項に記載のデジタルコンテンツ再生録音装置。
【請求項７】
前記音声録音データ収集制御部は、前記音声記録部に前記音声録音データを収集させる処理を実行した後、前記音声記録部への音声の無入力状態が所要時間継続したことをトリガーとして、前記音声記録部に前記音声録音データの収集を停止させる処理を実行することを特徴とする請求項１〜６のうちのいずれか一項に記載のデジタルコンテンツ再生録音装置。
【請求項８】
前記音声録音データ収集制御部は、前記音声記録部が収集した前記音声録音データに対して、前記音声録音データの終端から前記音声記録部への音声の無入力状態が継続した時間の範囲を削除する処理を実行することを特徴とする請求項７記載のデジタルコンテンツ再生録音装置。
【請求項９】
前記デジタルコンテンツ再生録音装置には音声録音データ収集操作部が配設されていて、
前記音声録音データ収集制御部は、使用者による前記音声録音データ収集操作部の操作状態をトリガーとして、前記音声記録部に前記音声録音データを記録させる処理を実行することを特徴とする請求項１〜５のうちのいずれか一項に記載のデジタルコンテンツ再生録音装置。
【請求項１０】
前記音声録音データ確認制御部は、前記単位フレーズごとに前記単位フレーズに対応する前記テキストデータおよび前記音声データを前記表示部および前記音声出力部に出力させた後に、前記表示部への前記単位フレーズに対応する前記テキストデータの出力状態を維持した状態で前記単位フレーズに対応する前記音声録音データを前記音声出力部に出力させることを特徴とする請求項１〜９のうちのいずれか一項に記載のデジタルコンテンツ再生録音装置。
【請求項１１】
前記音声録音データ確認制御部は、前記単位フレーズごとに前記単位フレーズに対応する前記テキストデータを前記表示部に出力させた後に、前記単位フレーズに対応する前記音声録音データを前記音声出力部に出力させることを特徴とする請求項１〜１０のうちのいずれか一項に記載のデジタルコンテンツ再生録音装置。
【請求項１２】
前記記憶部には、前記単位フレーズに対応する前記音声録音データが複数記憶されていて、
前記音声録音データ確認制御部は、特定の前記単位フレーズに対応する複数の前記音声録音データの中から使用者によって任意に選択された前記音声録音データを前記記憶部から読み出させると共に、前記音声出力部に出力させる処理を実行することを特徴とする請求項１〜１１のうちのいずれか一項に記載のデジタルコンテンツ再生録音装置。
【請求項１３】
前記記憶部には、前記音声データを前記音声出力部に出力させる際における音声の特性を規定する音声特性データが予め複数記憶されていて、
前記音声録音データ確認制御部は、使用者によりデータ入力手段を介して選択された前記音声特性データに基づいた前記音声データを前記音声出力部に出力させることを特徴とする請求項１〜１２のうちのいずれか一項に記載のデジタルコンテンツ再生録音装置。
【発明の詳細な説明】
【技術分野】
【０００１】
本発明はデジタルコンテンツ再生録音装置に関する。
【背景技術】
【０００２】
本体またはネットワーク上（いわゆるクラウド上）に配設された記憶部に記憶されているデジタルコンテンツを表示部や音声出力部に出力するデジタルコンテンツ再生録音装置としては、使用者の使用目的に合わせた構成のものが多数提供されている。
【０００３】
このようなデジタルコンテンツ再生装置としては、表示部に表示させるテキストデータを適宜の位置で句切り、区切られた部分のテキストデータの表示とこれに対応する音声データを同期させて表示および再生させることが可能な構成が知られている（特許文献１参照）。
【先行技術文献】
【特許文献】
【０００４】
【特許文献１】特開２０１６−０１２０９９号公報
【発明の概要】
【発明が解決しようとする課題】
【０００５】
特許文献１に開示されているデジタルコンテンツ再生装置を音読や復唱等の学習に用いることで、現在再生されている音声データとテキストデータの同期をとることができるため、使用者の音読学習がしやすくなるという点において好都合である。このような音読や復唱の学習を行う際においては、自分の音読内容や復唱内容を手本と比較することにより、どの程度手本に忠実に音読や復唱ができているかについて確認することが重要である。しかしながら従来のデジタルコンテンツ再生装置においては、このような音読内容や復唱内容と手本とを比較することができるような機能を有する構成が提案されておらず、音読内容や復唱内容と手本との比較を行うことが困難であるといった課題を有している。
【０００６】
そこで本発明は、使用者がデジタルコンテンツを用いた音読や復唱等の学習をする際において、自分の音読内容や復唱内容と手本との比較を行いやすくすることで、自分の音読内容や復唱内容がどの程度手本に忠実であるかを確認することが可能なデジタルコンテンツ再生録音装置の提供を目的としている。
【課題を解決するための手段】
【０００７】
上記課題を解決するため発明者が鋭意研究した結果、以下の構成に想到した。
【０００８】
すなわち、本発明は、テキストデータを含むデジタルコンテンツが記憶されている記憶部と、前記テキストデータの全部または一部を表示する表示部と、前記テキストデータから単位フレーズを生成する単位フレーズ生成部と、前記単位フレーズに対応する前記テキストデータに基づいて音声合成により音声データを生成する音声データ生成部と、音声出力部と、使用者が前記テキストデータを読み上げた音声を音声録音データとして記録する音声記録部と、前記単位フレーズに対応する前記音声データの長さに基づいて前記単位フレーズに対応する前記テキストデータを前記表示部に表示するフレーズ表示時間を規定するフレーズ表示時間規定部と、前記音声出力部に前記音声データの出力をせずに前記単位フレーズに対応する前記テキストデータを前記フレーズ表示時間にわたって前記表示部に強調表示させるフレーズ出力制御部と、前記音声出力部に前記音声データの出力をせずに前記単位フレーズに対応する前記テキストデータを前記フレーズ表示時間にわたって前記表示部に強調表示させた後、前記音声記録部により前記音声録音データを収集させると共に、収集した前記音声録音データを前記記憶部に記憶させる音声録音データ収集制御部と、前記デジタルコンテンツを、前記単位フレーズごとに前記単位フレーズに対応する前記テキストデータおよび前記音声データを前記表示部および前記音声出力部に出力させ、さらに前記単位フレーズに対応する前記音声録音データを前記音声出力部に出力させる音声録音データ確認制御部と、を具備していることを特徴とするデジタルコンテンツ再生録音装置である。
【０００９】
また、テキストデータおよび前記テキストデータに対応した音声データを含むデジタルコンテンツが記憶されている記憶部と、前記テキストデータの全部または一部を表示する表示部と、前記テキストデータおよび前記音声データから単位フレーズを生成する単位フレーズ生成部と、音声出力部と、使用者が前記テキストデータを読み上げた音声を音声録音データとして記録する音声記録部と、前記単位フレーズに対応する前記音声データの長さに基づいて前記単位フレーズに対応する前記テキストデータを前記表示部に表示するフレーズ表示時間を規定するフレーズ表示時間規定部と、前記音声出力部に前記音声データの出力をせずに前記単位フレーズに対応する前記テキストデータを前記フレーズ表示時間にわたって前記表示部に強調表示させるフレーズ出力制御部と、前記音声出力部に前記音声データの出力をせずに前記単位フレーズに対応する前記テキストデータを前記フレーズ表示時間にわたって前記表示部に強調表示させた後、前記音声記録部により前記音声録音データを収集させると共に、収集した前記音声録音データを前記記憶部に記憶させる音声録音データ収集制御部と、前記デジタルコンテンツを、前記単位フレーズごとに前記単位フレーズに対応する前記テキストデータおよび前記音声データを前記表示部および前記音声出力部に出力させ、さらに前記単位フレーズに対応する前記音声録音データを前記音声出力部に出力させる音声録音データ確認制御部と、を具備していることを特徴とするデジタルコンテンツ再生録音装置とすることもできる。
【００１０】
また、テキストデータまたはテキストデータおよび前記テキストデータに対応した音声データを含むデジタルコンテンツと、前記デジタルコンテンツの構成内容が記述されたコンテンツ構成内容データと、が記憶されている記憶部と、前記テキストデータの全部または一部を表示する表示部と、前記テキストデータまたは前記テキストデータおよび前記音声データから単位フレーズを生成する単位フレーズ生成部と、前記単位フレーズに対応する前記テキストデータに基づいて音声合成により前記音声データを生成する音声データ生成部と、音声出力部と、使用者が前記テキストデータを読み上げた音声を音声録音データとして記録する音声記録部と、前記単位フレーズに対応する前記音声データの長さに基づいて、前記単位フレーズに対応する前記テキストデータを前記表示部に表示するフレーズ表示時間を規定するフレーズ表示時間規定部と、前記音声出力部に前記音声データの出力をせずに前記単位フレーズに対応する前記テキストデータを前記フレーズ表示時間にわたって前記表示部に強調表示させるフレーズ出力制御部と、前記音声出力部に前記音声データの出力をせずに前記単位フレーズに対応する前記テキストデータを前記フレーズ表示時間にわたって前記表示部に強調表示させた後、前記音声記録部により前記音声録音データを収集させると共に、収集した前記音声録音データを前記記憶部に記憶させる音声録音データ収集制御部と、前記デジタルコンテンツを、前記単位フレーズごとに前記単位フレーズに対応する前記テキストデータおよび前記音声データを前記表示部および前記音声出力部に出力させ、さらに前記単位フレーズに対応する前記音声録音データを前記音声出力部に出力させる音声録音データ確認制御部と、前記コンテンツ構成内容データの内容に基づいて、前記単位フレーズ生成部と前記フレーズ表示時間規定部との動作内容を切り替える動作内容切替制御部と、を具備し、前記動作内容切替制御部は、前記コンテンツ構成内容データを参照し、前記デジタルコンテンツが前記テキストデータに対応した音声データを含んでいないと判断した場合には、前記単位フレーズ生成部に前記テキストデータから前記単位フレーズを生成させる処理と、前記音声データ生成部に前記単位フレーズに対応する前記テキストデータに基づいて音声合成により前記音声データを生成させる処理を実行し、前記デジタルコンテンツが前記テキストデータに対応した音声データを含んでいると判断した場合には、前記単位フレーズ生成部に、前記テキストデータおよび前記音声データから前記単位フレーズを生成させ、前記音声データ生成部の動作をスキップさせる処理を実行することを特徴とするデジタルコンテンツ再生録音装置とすることもできる。
【００１１】
以上の構成を採用することにより、使用者が音読対象となるフレーズの手本となる単位フレーズ対応音声データを聞いた直後に自らの音読音声を録音した音声録音データを作成すると共に、手本となる単位フレーズ対応音声データと音声録音データをそれぞれ確認することができるので、使用者が音読等の学習をする際における使い勝手を向上させることが可能になる。
【００１２】
また、前記フレーズ出力制御部は、前記フレーズ表示時間にわたって前記単位フレーズに対応する前記音声データを前記音声出力部に出力させると共に、前記単位フレーズに対応する前記テキストデータを前記表示部に強調表示させた後に、前記音声出力部に前記音声データの出力をせずに前記単位フレーズに対応する前記テキストデータを前記フレーズ表示時間にわたって前記表示部に強調表示させることが好ましい。
【００１３】
この構成によれば、使用者は単位フレーズに対応する音声データを単位フレーズに対応するテキストデータを見ながら聞いた後に、単位フレーズに対応するテキストデータを見ながら音声録音データの作成をすることができるため、音声録音データの作成時における音読の誤りを防ぐことができる。
【００１４】
また、前記フレーズ出力制御部は、前記フレーズ表示時間を超えてもなお、前記音声記録部による前記音声録音データの収集が継続されている場合、前記音声記録部による前記音声録音データの収集が終了するまでの間、前記表示部に前記単位フレーズに対応する前記テキストデータの表示を継続させることが好ましい。
【００１５】
この構成によれば、さらに音読に時間がかかる使用者であっても単位フレーズに対応するテキストデータを見ながら音声録音データの作成をすることができる。
【００１６】
また、前記音声録音データ収集制御部は、前記音声出力部に前記音声データの出力をせずに前記単位フレーズに対応する前記テキストデータを強調表示させた後において、前記音声記録部に入力された最初の音声をトリガーとして前記音声記録部に前記音声録音データを収集させる処理を実行することが好ましい。
【００１７】
これにより、音声録音データ収集制御部をいわゆる自動トリガーによって作動させることができるため、使用者は自身の音読状態に合わせてデジタルコンテンツ再生録音装置の操作をする必要がなく、使い勝手を向上させることができる。
【００１８】
また、前記音声録音データ収集制御部は、前記音声記録部に前記音声録音データを収集させる処理を実行した後、前記音声記録部への音声の無入力状態が所要時間継続したことをトリガーとして、前記音声記録部に前記音声録音データの収集を停止させる処理を実行することが好ましい。
【００１９】
これにより、音声録音データ収集制御部をいわゆる自動トリガーによって停止させることができるため、使用者は自身の音読状態に合わせてデジタルコンテンツ再生録音装置の操作をする必要がなく、使い勝手を向上させることができる。
【００２０】
また、前記音声録音データ収集制御部は、前記音声記録部が収集した前記音声録音データに対して、前記音声録音データの終端から前記音声記録部への音声の無入力状態が継続した時間の範囲を削除する処理を実行することが好ましい。
【００２１】
これにより、自動トリガーで収集した音声録音データの不要な部分をトリミングすることができ、音声録音データのデータ容量を削減することができると共に、音声録音データの再生時における余分な無音部分を無くすことができ、学習効率を向上させることができる。
【００２２】
また、前記デジタルコンテンツ再生録音装置には音声録音データ収集操作部が配設されていて、前記音声録音データ収集制御部は、使用者による前記音声録音データ収集操作部の操作状態をトリガーとして、前記音声記録部に前記音声録音データを記録させる処理を実行することが好ましい。
【００２３】
これにより、音声録音データ収集制御部をいわゆる手動トリガーによって作動させることができるため、使用者は自身の音読状態に合わせてデジタルコンテンツ再生録音装置の操作をすることができる。
【００２４】
また、前記音声録音データ確認制御部は、前記単位フレーズごとに前記単位フレーズに対応する前記テキストデータおよび前記音声データを前記表示部および前記音声出力部に出力させた後に、前記表示部への前記単位フレーズに対応する前記テキストデータの出力状態を維持した状態で前記単位フレーズに対応する前記音声録音データを前記音声出力部に出力させることが好ましい。
【００２５】
これにより、使用者が音読学習をする際において、模範音声データである単位フレーズ対応音声データと自分の音読データである音声録音データとの比較がしやすく、音読学習の効率を高めることができる。
【００２６】
また、前記音声録音データ確認制御部は、前記単位フレーズごとに前記単位フレーズに対応する前記テキストデータを前記表示部に出力させた後に、前記単位フレーズに対応する前記音声録音データを前記音声出力部に出力させることが好ましい。
【００２７】
これにより、使用者が音読学習をする際において、テキストデータと自分の音読データである音声録音データとの比較のみを行うことができ、音読学習の習熟度が所定レベルに達した場合における音読学習の効率を高めることができる。
【００２８】
また、前記記憶部には、前記単位フレーズに対応する前記音声録音データが複数記憶されていて、前記音声録音データ確認制御部は、特定の前記単位フレーズに対応する複数の前記音声録音データの中から使用者によって任意に選択された前記音声録音データを前記記憶部から読み出させると共に、前記音声出力部に出力させる処理を実行することが好ましい。
【００２９】
これにより、使用者が時系列に沿って自身の音声録音データを聞くことにより、過去の音読状態と現在の音読状態との比較を容易に行うことができ、音読学習の効果を実感することができ、学習意欲の向上に寄与することができる。
【００３０】
また、前記記憶部には、前記音声データを前記音声出力部に出力させる際における音声の特性を規定する音声特性データが予め複数記憶されていて、前記音声録音データ確認制御部は、使用者によりデータ入力手段を介して選択された前記音声特性データに基づいた前記音声データを前記音声出力部に出力させることが好ましい。
【００３１】
これにより、手本となる単位フレーズ対応音声データを使用者の好みに応じて使い分けすることができる。
【発明の効果】
【００３２】
本発明にかかるデジタルコンテンツ再生録音装置の構成を採用することにより、使用者がＤＡＩＳＹデータに代表されるデジタルコンテンツを用いた音読や復唱等の学習をする際において、自分の音読内容や復唱内容と手本との比較が行いやすくなる。これにより、自分の音読内容や復唱内容がどの程度手本に忠実であるかを容易に確認することができ、使用者の音読学習の学習効率を大幅に向上させることが可能になる。また、使用者は本発明にかかるデジタルコンテンツ再生録音装置を用いれば、指導者が不在であっても音読学習を適切かつ効率的に自習することができる。
【図面の簡単な説明】
【００３３】
【図１】第１実施形態におけるデジタルコンテンツ再生録音装置の概略構成図である。
【図２】第１実施形態におけるデジタルコンテンツ再生録音装置によるデジタルコンテンツ再生録音方法のフロー図である。
【図３】フレーズの強調表示状態を示す説明図である。
【図４】フレーズの表示時間の経過と強調表示状態の変遷を示す説明図である。
【図５】音声録音データ収集制御部による使用者の音読音声の録音のフローを示す説明図である。
【図６】音声録音データ確認制御部による模範音声データと音声録音データの再生状況を示す説明図である。
【図７】第２実施形態におけるデジタルコンテンツ再生録音装置の概略説明図である。
【図８】第３実施形態におけるデジタルコンテンツ再生録音装置の概略構成図である。
【図９】他の実施形態におけるデジタルコンテンツ再生録音装置の概略構成図である。
【発明を実施するための形態】
【００３４】
以下、本発明にかかるデジタルコンテンツ再生録音装置とデジタルコンテンツ再生録音方法の実施形態について図面に基づいて説明する。
【００３５】
（第１実施形態）
図１は本実施形態におけるデジタルコンテンツ再生録音装置の概略構成図であり、図２は本実施形態におけるデジタルコンテンツ再生録音装置によるデジタルコンテンツ再生録音方法のフロー図である。本実施形態においては図１に示すように、いわゆるタブレット端末やスレートパソコンと称されている電子機器によりデジタルコンテンツ再生録音装置１０が構成されている形態に基づいて説明する。デジタルコンテンツ再生録音装置１０のデジタルコンテンツＤＣは半導体等により構成される不揮発性メモリ代表される記憶部１２に記憶されている。デジタルコンテンツ再生録音装置１０がネットワーク接続部１４を有している場合には、ネットワーク接続部を介して接続されたネットワーク上に配設されている記憶部３０に格納されているデジタルコンテンツＤＣをダウンロードやストリーミング等により記憶部１２に恒久的または一時的に記憶させて用いることもできる。この場合の記憶部１２は揮発性メモリを用いることもできる。また、ネットワーク接続部１４の接続形態は有線接続・無線接続の種類は問わず、公知の接続形態を採用することができる。
【００３６】
ここで、デジタルコンテンツＤＣとは、テキストデータを含むデジタルデータを指すものとする。デジタルコンテンツＤＣの他の具体例としては、テキストデータおよびこのテキストデータに対応する単位フレーズ対応音声データを含むデータ構成の他に、テキストデータおよびこのテキストデータに対応する単位フレーズ対応音声データに加えて他の単位フレーズ対応音声データや画像データ等の各種データを含ませたデータ構成を採用することも可能である。
【００３７】
記憶部１２に記憶されたデジタルコンテンツＤＣは、最初に動作制御部１８により読み出しされ（データ読み出し工程）る。読み出されたデジタルコンテンツＤＣは、単位フレーズ生成部１８Ａとしての動作制御部１８がデジタルコンテンツＤＣ内のテキストデータをフレーズごとに分割する処理を実行する（単位フレーズ生成工程）。なお、テキストデータを単位フレーズごとに分割処理する具体的な方法は、例えば、特開２０１６−１２０９９号公報に開示されているような公知の手法を採用することができるので、ここでの詳細な説明は省略する。
【００３８】
ここで、単位フレーズとは、いわゆる分かち書きで区切ることができる単位の他、句点や読点で区切ることができる単位、または、段落で区切ることができる単位等、任意の区切れ単位で区切られた文章の要素、または文章、若しくは文のかたまりを単位フレーズとして取り扱うことができる。
【００３９】
単位フレーズ生成部１８Ａによりテキストデータを分割して得たそれぞれの単位フレーズＰは、分割された順番に分割単位フレーズ通し番号付与部１８Ｂである動作制御部１８により分割された単位フレーズＰの夫々に対して通し番号が付与された（通し番号付与工程）後に、単位フレーズＰと単位フレーズＰに対して付与された通し番号とが紐付けされた状態で記憶部１２に記憶される。
【００４０】
音声データ生成部１８Ｚである動作制御部１８は、単位フレーズＰに対応するテキストデータに基づいて音声合成により単位フレーズ対応音声データを生成する（単位フレーズ対応音声データ生成工程）。テキストデータに基づいた音声合成による単位フレーズ対応音声データの生成方法は公知のものを適用することができるため、ここでは音声合成についての詳細な説明は省略する。本実施形態においては音声データ生成部１８Ｚにより生成された単位フレーズ対応音声データを模範音声データＭＯＤとして単位フレーズＰに対して付与された通し番号と紐付けした状態で記憶部１２に記憶させている。なお、デジタルコンテンツＤＣにテキストデータに対応する音声データが含まれている場合には、単位フレーズ対応音声データ分割部としての動作制御部１８が単位フレーズＰに対応する単位フレーズ対応音声データを分割することで模範音声データＭＯＤを生成するようにしてもよい。すなわち、音声データ生成部１８Ｚによる単位フレーズ対応音声データ生成工程をスキップさせることになる。
【００４１】
フレーズ表示時間規定部１８Ｃである動作制御部１８は、分割された単位フレーズＰに付与された通し番号順に、それぞれの単位フレーズＰ内における音素数（ここでは読み仮名の文字数を音素数としている）をカウントする。フレーズ表示時間規定部１８Ｃである動作制御部１８は、予め記憶部１２に記憶されているテキストデータの表示部１６Ａへの表示時間を規定するためのテキスト表示時間基本データＴＨＤとカウントした音素数との積を算出する。さらにフレーズ表示時間規定部１８Ｃである動作制御部１８は、算出した積を標準のフレーズ表示時間ＨＰＴとして（フレーズ表示時間規定工程）、単位フレーズＰの通し番号と紐付けした状態で記憶部１２に記憶させる処理を行う。このようにしてフレーズ表示時間規定部１８Ｃとしての動作制御部１８は、分割された単位フレーズＰの全てに対して標準のフレーズ表示時間ＨＰＴの算出を行う。
【００４２】
テキスト表示時間基本データＴＨＤは、読み仮名の文字にかかわらず１音素（読み仮名１文字）あたりにおける発音時間を規定するデータの他、読み仮名の文字に応じて異なる発音時間が紐付けされた読み仮名ごとの発音時間を規定するデータ等を採用することができる。読み仮名ごとの発音時間を規定するデータを採用した場合、フレーズ表示時間規定部１８Ｃである動作制御部１８は、単位フレーズＰ内における読み仮名の文字の種類と数をそれぞれカウントする処理を実行する。さらには、テキストデータに対応した音声データが記憶部１２に記憶されている場合には、音声データの全音素数に対する再生時間（音声データの長さ）と、単位フレーズＰに分割された後の音声データの音素数に対応する再生時間とを比率により、フレーズ表示時間規定部１８Ｃとしての動作制御部が算出するようにしてもよい。
【００４３】
フレーズ出力制御部１８Ｄとしての動作制御部１８は、分割された単位フレーズＰについて通し番号の順番に、通し番号に紐付けされた標準のフレーズ表示時間ＨＰＴの時間にわたって、それぞれの単位フレーズＰに対応するテキストデータを表示部１６Ａに、単位フレーズ対応音声データであるテキストデータの模範音声データＭＯＤを音声出力部１６Ｂにそれぞれ出力した後、同じ単位フレーズＰにおいて音声出力部１６Ｂへの音声データの出力は行わずに、表示部１６Ａに出力すべき単位フレーズＰに対応するテキストデータを標準のフレーズ表示時間ＨＰＴにわたって出力する処理を実行する（フレーズ出力制御工程）。
【００４４】
なお、単位フレーズＰにおけるテキストデータに対応する単位フレーズ対応音声データとしての模範音声データＭＯＤは、単位フレーズＰにおけるテキストデータを音声データ生成部１８Ｚとしての動作制御部１８が前述のようにＴＴＳ（Ｔｅｘｔ  Ｔｏ  Ｓｐｅｅｃｈ）処理することにより生成する他、音読の指導者によるテキストデータの音読音声をマイク等に代表される音声記録部１７により録音する等して予め記憶部１２に模範音声データＭＯＤとして記憶させておくこともできる。
【００４５】
このとき、表示部１６Ａに出力するテキストデータは、表示対象となっている通し番号が付与された単位フレーズＰだけでなく、表示対象となっている通し番号を含む所要範囲の単位フレーズＰに対応するテキストデータを同時に表示部１６Ａに表示させておくこともできる。この形態を採用した場合には、図３に示すように、表示対象となっている通し番号が紐付けされている単位フレーズＰに対応するテキストデータに対して色付網掛け処理や太文字表示等に代表される強調表示処理を標準のフレーズ表示時間ＨＰＴの時間にわたって行う（フレーズ強調表示工程）ようにしてもよい。
【００４６】
さらにフレーズ出力制御部１８Ｄとしての動作制御部１８は、図４に示すように、表示部１６Ａへの表示対象であり、第１の強調表示（網掛け処理）がなされている単位フレーズＰに対応するテキストデータに対して、テキストデータを太文字表示する第２の強調表示（他の強調表示）処理を同時に行うようにしてもよい。そしてこの場合において、フレーズ出力制御部１８Ｄとしての動作制御部１８は、標準のフレーズ表示時間ＨＰＴの時間経過と、第２の強調表示を施す範囲とを比例させる（図４内における矢印に示す表示状態の変遷）ようにしてもよい。なお、図４内に示す矢印は標準のフレーズ表示時間ＨＰＴの時間経過方向を示すものである。ここで、第１の強調表示と第２の強調表示を施す範囲は、図４に示す態様の他に、第１の強調表示と第２の強調表示を施す範囲を単位フレーズＰのブロック単位に設定することもできる。
【００４７】
また、フレーズ出力制御部１８Ｄとしての動作制御部１８は、データ入力部を介して入力された（または記憶部１２に予め記憶させておいた）フレーズ表示時間調整値に基づいて、標準のフレーズ表示時間ＨＰＴを伸縮させる処理を行う（フレーズ表示時間伸縮工程）機能も有している。
【００４８】
本実施形態においては、単位フレーズＰに対応するテキストデータと模範音声データＭＯＤを表示部１６Ａと音声出力部１６Ｂ（ここでは、表示部１６Ａと音声出力部１６Ｂとによりデータ出力部１６が構成されている）にそれぞれ出力した後、単位フレーズＰに対応するテキストデータのみを表示部１６Ａに出力させている間において、使用者に単位フレーズＰに対応するテキストデータの読み上げ（音読）の練習をさせることができる。
【００４９】
音声録音データ収集制御部１８Ｅとしての動作制御部１８は、図５に示すように使用者が音読練習をしている間に使用者の音読音声を録音する（音声録音データを記録する）ように音声記録部１７を作動させ、使用者がテキストデータを音読している際の音声データを録音して音声録音データＯＲＤとして収集する。このとき音声録音データ収集制御部１８Ｅは、単位フレーズＰの通し番号と使用者の音声録音データＯＲＤとを紐付けした状態で記憶部１２に記憶させる処理を実行する（音声録音データ収集制御工程）。
【００５０】
ここで、音声記録部１７による音声録音データの収集が標準のフレーズ表示時間ＨＰＴを超えても継続して行われている場合には、フレーズ出力制御部１８Ｄとしての動作制御部１８は、音声記録部１７による音声録音データの収集が終了するまでの間、表示部１６Ａへの単位フレーズＰに対応するテキストデータの表示を継続させるようにすることもできる。
【００５１】
音声録音データ収集制御部１８Ｅが音声録音データＯＲＤの収集を行った後、音声録音データ確認制御部１８Ｆとしての動作制御部１８は、図６に示すように表示部１６Ａと音声出力部１６Ｂに単位フレーズＰの通し番号順に単位フレーズＰのテキストデータと、テキストデータに対応する単位フレーズ対応音声データとしての模範音声データＭＯＤとを表示部１６Ａと音声出力部１６Ｂとにそれぞれ出力した後に続けて、使用者の音声録音データＯＲＤの音声出力部１６Ｂへの出力を行う（音声録音データ確認制御工程）。
【００５２】
ここで、音声録音データ確認制御部１８Ｆとしての動作制御部１８は、使用者の音声録音データＯＲＤを音声出力部１６Ｂに出力させる際において、表示部１６Ａに対して単位フレーズＰに対応するテキストデータの出力状態を停止した状態にすることもできるし、単位フレーズＰに対応するテキストデータの出力状態を維持させることもできる。また、複数の単位フレーズＰに対応するテキストデータを表示部１６Ａに出力させた後に、複数の単位フレーズＰに対応する音声録音データＯＲＤを音声出力部１６Ｂに出力させるようにしてもよい。このように表示部１６Ａおよび音声出力部１６Ｂに出力させる単位フレーズＰは単数であってもよいし複数であってもよい。
【００５３】
本実施形態におけるデジタルコンテンツ再生録音装置１０によれば、使用者にテキストデータの音読の練習を行わせるに先立って、使用者に模範音声データＭＯＤを聞かせた直後に単位フレーズＰごとに単位フレーズＰに対応するテキストデータを表示部１６Ａに表示させながら単位フレーズＰに対応するテキストデータを音読させることができる。これにより使用者は単位フレーズＰに対応するテキストデータの音読の練習を容易に行うことができる。
【００５４】
さらには、単位フレーズＰごとに使用者の音読音声を音声録音データＯＲＤとして収集することができると共に、単位フレーズＰに対応するテキストデータと模範音声データＭＯＤを表示部１６Ａと音声出力部１６Ｂに出力した後に、これと同じ単位フレーズＰに対応するテキストデータと音声録音データＯＲＤを表示部１６Ａおよび音声出力部１６Ｂに出力させていることにより、使用者は模範音声データＭＯＤに対する自らの音読状態を確認しながら音読学習を進めることができる。
【００５５】
また、音声出力部１６Ｂが複数配設されている場合においては、音声録音データ確認制御部１８Ｆは一方の音声出力部１６Ｂから単位フレーズＰごとに音読の手本となる模範音声データＭＯＤの出力を実行すると同時に、他方の音声出力部１６Ｂから一方の音声出力部１６Ｂに出力された単位フレーズＰに対応する音声録音データＯＲＤの出力を実行することもできる。このとき、単位フレーズＰに対応するテキストデータを表示部１６Ａに出力させてもよい。このように複数の音声出力部１６Ｂから模範音声データＭＯＤと音声録音データＯＲＤとを同時に出力することにより、音声録音データＯＲＤと模範音声データＭＯＤとの差異を明確にすることができる点において好都合である。
【００５６】
（第２実施形態）
第１実施形態においては、デジタルコンテンツ再生録音装置１０の動作制御部１８が、デジタルコンテンツＤＣ内のテキストデータを単位フレーズＰごとに分割し、分割した単位フレーズＰの表示部１６Ａへの表示時間を規定する処理を実行している。これに対して本実施形態においては、図７に示すように使用するデジタルコンテンツＤＣがＤＡＩＳＹ規格のデータである場合について説明を行う。なお、本実施形態において第１実施形態と同様に用いることができる構成については、図面および明細書中において第１実施形態で用いた部材番号と同一の番号を付すことにより、ここでの詳細な説明は省略している。
【００５７】
ＤＡＩＳＹ規格のデジタルコンテンツＤＣは、コンテンツの再生に必要な情報である単位フレーズＰに付与されている通し番号と、それぞれの単位フレーズＰにおける開示時間と終了時間が記載されたｓｍｉｌファイルと、目次やページの移動の制御に関連した情報が記述されたｎｃｃファイルまたはｎｃｘファイルと、表示部１６Ａに表示可能なテキストデータを記述したｈｔｍｌファイルまたはｘｍｌファイルを備えている。
【００５８】
このようにＤＡＩＳＹ規格のデジタルコンテンツＤＣを採用した場合には、動作制御部１８が記憶部１２から読み出したｓｍｉｌファイルとｎｃｃファイルに基づいた処理を実行することにより、単位フレーズ生成部１８Ａ、分割単位フレーズ通し番号付与部１８Ｂ、フレーズ表示時間規定部１８Ｃ、フレーズ出力制御部１８Ｄとしての機能を発揮することになる。
【００５９】
本実施形態においても、表示部１６ＡにデジタルコンテンツＤＣ内のテキストデータを単位フレーズＰごとに表示している間に、動作制御部１８は音声録音データ収集制御部１８Ｅとして、使用者が音読をしている間に使用者の音読音声を録音するようにマイク等に代表される音声記録部１７を作動させ、使用者の音読音声を録音（音読音声録音工程）してもよい。音声録音データＯＲＤは第１実施形態と同様に単位フレーズＰの通し番号に紐付けされた状態で記憶部１２に記憶させておくことができる。
【００６０】
また、動作制御部１８は音声録音データ確認制御部１８Ｆとして、表示部１６Ａと音声出力部１６Ｂに単位フレーズＰの通し番号順に単位フレーズＰのテキストデータとテキストデータの模範音声データＭＯＤとを表示部１６Ａと音声出力部１６Ｂとにそれぞれ出力した後に続けて使用者の音声録音データＯＲＤの音声出力部１６Ｂへの出力を行うようにしてもよい。
【００６１】
このように、デジタルコンテンツＤＣとしてＤＡＩＳＹ規格のデータを採用することにより、単位フレーズ生成部１８Ａによるテキストデータの単位フレーズ生成処理と、分割単位フレーズ通し番号付与部１８Ｂによる分割単位フレーズ通し番号付与処理と、フレーズ表示時間規定部１８Ｃによるフレーズ表示時間規定処理を大幅に軽減（または省略）することができる。これにより動作制御部１８が行うデジタルコンテンツＤＣのデータ処理負荷を軽減させることが可能になり、安価な構成のデジタルコンテンツ再生録音装置１０であっても円滑にデジタルコンテンツＤＣを再生することができる点において好都合である。
【００６２】
（第３実施形態）
デジタルコンテンツＤＣの中には、テキストデータのみの部分とテキストデータおよびテキストデータに対応した音声データを有する部分とが混在する場合がある。このような場合におけるデジタルコンテンツＤＣには、図８に示すように、記憶部１２にはデジタルコンテンツＤＣの構成内容が記述されたコンテンツ構成内容データＣＣＤが記憶されている。本実施形態においては、記憶部１２にコンテンツ構成内容データＣＣＤが記憶されているデジタルコンテンツ再生録音装置１０についての動作について説明をおこなう。
【００６３】
動作内容切替制御部１８Ｇとしての動作制御部１８は、デジタルコンテンツＤＣに対するデータ処理を開始する際、デジタルコンテンツＤＣのコンテンツ構成内容データＣＣＤを記憶部１２から読み出しすると共にコンテンツ構成内容データＣＣＤの内容を参照する。そして、動作内容切替制御部１８Ｇとしての動作制御部１８は、コンテンツ構成内容データＣＣＤに記述されているデジタルコンテンツＤＣのデータ構成に応じて単位フレーズ生成部１８Ａおよび音声データ生成部１８Ｚの動作を切り替えする処理を実行する。具体的には、以下のとおりである。
【００６４】
動作内容切替制御部１８Ｇが、デジタルコンテンツＤＣにテキストデータに対応した音声データを含んでいないと判断した場合には、単位フレーズ生成部１８Ａに、テキストデータから単位フレーズＰを生成させる。また、動作内容切替制御部１８Ｇは、音声データ生成部１８Ｚに、単位フレーズＰに対応するテキストデータに基づいて音声合成により単位フレーズ対応音声データを生成させる（単位フレーズ対応音声データ生成工程）処理を実行させる。単位フレーズ対応音声データ生成工程より後のデータ処理については、第１実施形態におけるフレーズ表示時間規定工程以降のデータ処理が実行されることになるので、ここでの具体的な説明は省略する。
【００６５】
これに対して動作内容切替制御部１８Ｇが、デジタルコンテンツＤＣにテキストデータに対応した音声データを含んでいると判断した場合には、単位フレーズ生成部１８Ａに、テキストデータおよび音声データから単位フレーズＰを生成させる。また、動作内容切替制御部１８Ｇは、音声データ生成部１８Ｚの動作をスキップさせる（音声データ生成スキップ工程）処理を実行させる。そして音声データ生成スキップ工程より後のデータ処理については、第１実施形態のフレーズ表示時間規定工程以降のデータ処理が実行されることになるので、ここでの具体的な説明は省略する。
【００６６】
このように、デジタルコンテンツＤＣのデータ構成内容に基づいて、デジタルコンテンツＤＣに含まれているデータを最大限利用したうえで、動作制御部１８による各種データ処理工程を実行することができる。これにより、デジタルコンテンツ再生録音装置１０のデータ処理負荷を軽減させることができ、短時間でデータ処理を実行させることが可能になる点において好都合である。
【００６７】
（他の実施形態）
使用者によるテキストデータの音読音声を録音する音声録音データ収集制御部１８Ｅは、音声出力部１６Ｂに単位フレーズ対応音声データの出力をせずに単位フレーズＰに対応するテキストデータを強調表示させた後、音声記録部１７に入力された最初の音声を音声録音データ収集開始自動トリガーとして、音声記録部１７に音声録音データＯＲＤを収集させる処理を実行してもよい。また、この音声録音データ収集開始自動トリガーに続けて、または音声録音データ収集開始自動トリガーとは独立に、音声記録部１７による音声録音データＯＲＤの収集処理を開始した後、音声記録部１７への音声の無入力状態が予め記憶部１２に記憶されている所要時間（無入力状態継続時間）にわたって継続したときには、これをもって音声録音データ収集停止自動トリガーとし、音声録音データ収集制御部１８Ｅに音声録音データＯＲＤの収集を停止させる処理を実行させるようにしてもよい。
【００６８】
さらには、音声録音データ収集停止自動トリガーにより音声記録部１７が記録した音声録音データＯＲＤに対して、音声録音データ収集制御部１８Ｅとしての動作制御部１８は、録音直後のオリジナル音声録音データの終端位置から記憶部１２に予め記憶されている無入力継続時間の範囲までさかのぼった位置までの間を削除（トリミング）して得たデータを音声録音データＯＲＤとして記憶部１２に記憶させるようにしてもよい。これによれば、自動トリガーにより音声録音データＯＲＤを収集した場合であっても、無音部分のない音声録音データＯＲＤを記憶部１２に記憶させることができる点で好都合である。
【００６９】
また、図９に示すように、デジタルコンテンツ再生録音装置１０の表示部１６Ａに音声録音データ収集操作部としてのトリガーボタン１９を配設してもよい。使用者によるトリガーボタン１９の操作状態を動作制御部１８が検出すると、音声録音データ収集制御部１８Ｅが音声記録部１７による音声録音データＯＲＤの収集の開始および停止させる処理を実行するようにしてもよい。このようにいわゆる手動トリガーによる音声録音データＯＲＤの収集および音声録音データＯＲＤの記憶部１２への記憶処理の開始および停止を使用者の任意のタイミングで実行させることが可能になる点で好都合である。なお、ここでは表示部１６Ａにソフトウェア上のトリガーボタン１９が配設された形態を示しているが、デジタルコンテンツ再生録音装置１０の専用品を採用した場合、専用品の本体に対して物理的なトリガーボタン１９を配設してもよい。
【００７０】
また、記憶部１２に音声録音データＯＲＤを記憶させる際においては、特定の単位フレーズＰの通し番号に対応する音声録音データＯＲＤを複数記憶させるようにしてもよい。単位フレーズＰに対して複数の音声録音データＯＲＤを記憶させるときには、音声録音データＯＲＤに時系列データを紐付けした状態で記憶部１２に記憶させておくことが好ましい。使用者または指導者が記憶部１２に記憶されている特定の単位フレーズＰの通し番号に対応する複数の音声録音データＯＲＤから任意の音声録音データＯＲＤを複数選択した場合、音声録音データ確認制御部１８Ｆは、記憶部１２から使用者または指導者により選択された音声録音データＯＲＤを読み出すと共に、時系列順に音声出力部１６Ｂに再生させるようにしてもよい。これにより、使用者の経時的なテキストデータの（文字の）音読習熟度の状態（音読学習の効果）を確認することができる。
【００７１】
また、予め模範音声データＭＯＤと音声録音データＯＲＤを音声出力部１６Ｂに出力させる際の単位フレーズＰの単位出力数を入力手段により入力または記憶部１２に記憶させておき、使用者や指導者により入力または記憶部１２に記憶されている単位出力数ごとに単位フレーズＰの模範音声データＭＯＤと音声録音データＯＲＤを音声出力部１６Ｂにそれぞれ出力させるようにしてもよい。このようにすることで、使用者の音読習熟度に応じた音読学習をすることができる点において好都合である。
【００７２】
また、表示部１６Ａにまたはデジタルコンテンツ再生録音装置１０の専用品の本体に、比較再生開始ボタンを表示または配設させ、使用者が比較再生開始ボタンを操作した際に、動作制御部１８は次のような動作を実行させるようにしてもよい。すなわち、前回の比較再生開始ボタンが操作されてから今回の比較再生開始ボタンが操作されたまでの間にある単位フレーズＰを対象にして、模範音声データＭＯＤと音声録音データＯＲＤを音声出力部１６Ｂに出力させる動作処理である。
【００７３】
また、以上の実施形態においては、分割した単位フレーズＰに対応するテキストデータはデジタルコンテンツＤＣの一部のテキストデータを表示部１６Ａに表示する形態について説明しているが、デジタルコンテンツＤＣのテキストデータの全部を表示部１６Ａに表示させることも可能である。
【００７４】
また、音声録音データＯＲＤを音声出力部１６Ｂに出力する際には、単位フレーズＰの通し番号に対応するテキストデータを表示部１６Ａに、これに対応する模範音声データＭＯＤを音声出力部１６Ｂに出力した後に行われているが、模範音声データＭＯＤの音声出力部１６Ｂへの出力をせずに音声録音データＯＲＤの音声出力部１６Ｂへの出力を行うこともできる。また、単位フレーズＰの通し番号に対応するテキストデータの表示部１６Ａへの出力と、これに対応する模範音声データＭＯＤの音声出力部１６Ｂへの出力をせず、音声録音データＯＲＤのみを音声出力部１６Ｂに出力するようにしてもよい。
【００７５】
また、記憶部１２には模範音声データＭＯＤを音声出力部１６Ｂに出力させる際における音声の特性が異なる複数の音声特性データを予め記憶させておいてもよい。このような音声特性データを備えた構成により、使用者がデータ入力手段を介して任意の音声特性データを選択すると、音声録音データ確認制御部１８Ｆである動作制御部１８が選択された音声特性データに基づいた模範音声データＭＯＤを音声出力部１６Ｂに出力する。このような構成により使用者の好みに応じた模範音声データＭＯＤを音声出力部１６Ｂに出力させることができるから、音読学習の効率を期待することができる。
【００７６】
以上に実施形態に基づいて本発明について詳細に説明をしたが、本発明の技術的範囲は以上の実施形態に限定されるものではない。例えば、以上の実施形態においては、デジタルコンテンツ再生録音装置１０としてタブレット端末やスレートパソコンを用いた構成について説明しているが、デスクトップパソコンやノートパソコン等のコンピュータを用いた構成であってもよい。このとき、コンピュータの記憶部に本発明にかかるデジタルコンテンツ再生録音方法を実行するデジタルコンテンツ再生録音プログラムを予めインストールしておき、コンピュータの動作制御部にデジタルコンテンツ再生録音プログラムに基づいたデジタルコンテンツの再生録音制御を実行させるようにすればよい。
【００７７】
本発明は、テキストデータまたはテキストデータおよび単位フレーズ対応音声データを含むデジタルコンテンツＤＣにおいて、テキストデータを単位フレーズＰごとに分割し、分割した単位フレーズＰに対応するテキストデータおよびテキストデータに対応する単位フレーズ対応音声データを模範音声データＭＯＤとしてデータ出力部１６に手本として出力し、手本が出力された直後に使用者の音読音声を音声録音データＯＲＤとして収集した後に、音声録音データＯＲＤを音声出力部１６Ｂに出力することを最大の特徴としている。よって、単位フレーズＰごとに分割する具体的な手法や分割した単位フレーズＰごとの単位フレーズ対応音声データまたは単位フレーズ対応音声データ（模範音声データＭＯＤ）および音声録音データＯＲＤの具体的な再生方法については特に限定されるものではない。
【００７８】
そして、明細書中において説明したそれぞれの実施形態と各種の変形例を適宜組み合わせた形態を採用することも可能である。
【符号の説明】
【００７９】
１０  デジタルコンテンツ再生録音装置
１２  記憶部
１４  ネットワーク接続部
１６  データ出力部
１６Ａ  表示部
１６Ｂ  音声出力部
１７  音声記録部
１８  動作制御部
１８Ａ  単位フレーズ生成部
１８Ｂ  分割単位フレーズ通し番号付与部
１８Ｃ  フレーズ表示時間規定部
１８Ｄ  フレーズ出力制御部
１８Ｅ  音声録音データ収集制御部
１８Ｆ  音声録音データ確認制御部
１８Ｇ  動作内容切替制御部
１８Ｚ  音声データ生成部
１９  トリガーボタン
３０  ネットワーク上に配設されている記憶部
ＣＣＤ  コンテンツ構成内容データ
ＤＣ  デジタルコンテンツ
ＨＰＴ  標準のフレーズ表示時間
ＴＨＤ  テキスト表示時間基本データ
ＭＯＤ  模範音声データ
ＯＲＤ  音声録音データ
Ｐ  単位フレーズ
【図１】
2018097043.tif 000003
【図２】
2018097043.tif 000004
【図３】
2018097043.tif 000005
【図４】
2018097043.tif 000006
【図５】
2018097043.tif 000007
【図６】
2018097043.tif 000008
【図７】
2018097043.tif 000009
【図８】
2018097043.tif 000010
【図９】
2018097043.tif 000011